(57)【要約】【課題】遺体と共に火葬しても変形せず、火葬後に故人の魂が宿って成仏したと印象づけることが可能である仏像や十字架等の象徴物を提供する。【構成】葬儀にて火葬に供される葬儀用象徴物１ａであって、火葬の前後で形状を保持することができる程度の耐熱性の本体５と、この本体の少なくとも一部を覆い、かつ、火葬により除去される熱剥離部３と、前記本体の表面と前記熱剥離部との間に形成され、かつ、前記本体の表面の少なくとも一部を被覆する耐熱性被膜と４を含む、ことを特徴とする葬儀用象徴物。【選択図】　図２
2004135850.tif 000002
【特許請求の範囲】
【請求項１】
葬儀にて火葬に供される葬儀用象徴物であって、
火葬の前後で形状を保持することができる程度の耐熱性の本体と、
この本体の少なくとも一部を覆い、かつ、火葬により除去される熱剥離部と、前記本体の表面と前記熱剥離部との間に形成され、かつ、前記本体の表面の少なくとも一部を被覆する耐熱性被膜と、
を含むことを特徴とする葬儀用象徴物。
【請求項２】
前記耐熱性被膜は、模様、文字、記号又はこれらと色彩の結合を形成している請求項１の葬儀用象徴物。
【請求項３】
前記耐熱性被膜では、模様、文字、記号又はこれらと色彩の結合が凸状又は凹状となっているものである請求項１又は２に記載の葬儀用象徴物。
【請求項４】
前記耐熱性被膜は、金色の被膜が前記本体の少なくとも一部を被覆したものである請求項１、２又は３に記載の葬儀用象徴物。
【請求項５】
前記熱剥離部で形成される形状と、前記熱剥離部が除去された後に形成される形状とが異なるものである請求項１から４の何れかに記載の葬儀用象徴物。
【請求項６】
前記熱剥離部の表面に、模様、文字、記号又はこれらと色彩の結合が形成されている請求項１から５の何れかに記載の葬儀用象徴物。
【請求項７】
前記熱剥離部の表面に、模様、文字、記号又はこれらと色彩の結合が凸状又は凹状に形成されている請求項６に記載の葬儀用象徴物。
【請求項８】
内側に断熱材を入れた耐熱性容器に収納された請求項１から７の何れかに記載の葬儀用象徴物。
【請求項９】
前記本体の少なくとも一部が仏像又は十字架の形状をしている請求項１から８の何れかに記載の葬儀用象徴物。
【請求項１０】
前記本体が、仏像と、仏像の背面に固定された板部とを含む請求項８に記載の葬儀用象徴物。
【発明の詳細な説明】
【０００１】
【産業上の利用分野】
本発明は、葬儀において遺体と共に火葬することのできる葬儀用象徴物に関する。
【０００２】
【従来の技術】
葬儀において遺体を火葬する際に、故人が使用していた物や好きだった物を棺に納め、共に火葬することが行われている（例えば、特開平８−３０８８９２号公報、特許文献１）。火葬の際の温度は７００℃から１２００℃もの高熱であることから、一緒に火葬をした物が、形や、色ともに原型をとどめないものとなってしまうことになる場合がある。このような場合には故人を偲ぶための遺品としては意味がなくなることになる。
【０００３】
【特許文献１】
特開平８−３０８８９２号公報
【０００４】
【発明が解決しようとする課題】
故人を偲ぶための遺品として、また故人と共に浄火で清められた中から出た物として最適なのは、高温においても原型をとどめ、変質することのない仏像等の象徴物である。これまで高温において変形、変色することのない葬儀用耐熱仏像は存在したが、火葬後に故人の魂が宿ったと遺族に印象づけるような象徴物や、仏教以外の宗教を考慮した象徴物は存在しなかった。
【０００５】
よって本発明の目的は、故人の遺体と共に火葬しても変形せず、かつ、故人の魂が宿って成仏したと印象づけることが可能である仏像や十字架等の象徴物を提供することにある。
【０００６】
【課題を解決するための手段】
上記目的を達成するために本発明においては、火葬時に原型を保ったまま、火葬前後で色が変化したり、特定の宗教の経典や故人が好きだった言葉等が現れるような象徴物を開発し、本発明を完成するに至った。
【０００７】
本発明では、下記のようなものが提供される。
【０００８】
（１）　葬儀にて火葬に供される葬儀用象徴物であって、火葬の前後で形状を保持することができる程度の耐熱性の本体と、この本体の少なくとも一部を覆い、かつ、火葬により除去される熱剥離部と、前記本体の表面と前記熱剥離部との間に形成され、かつ、前記本体の表面の少なくとも一部を被覆する耐熱性被膜と、を含むことを特徴とする葬儀用象徴物。
【０００９】
葬儀において遺体と共に本発明の葬儀用象徴物を火葬したとしても７００℃から１２００℃の熱に対し、本体は変形することがない。前記象徴物を火葬に供した場合には、熱剥離部は燃焼又は融解することにより、本体より除去される。すると、火葬後には、熱剥離部で覆われていた耐熱性被膜が本体の表面に現れることになる。そして、この耐熱性被膜により、火葬前後で色を変化させたり、特定の宗教の経典や故人が好きだった言葉、仏像等が現れるようにすることができる。
【００１０】
（２）　前記耐熱性被膜は、模様、文字、記号又はこれらと色彩の結合を形成している前記記載の葬儀用象徴物。
【００１１】
火葬後に模様、文字、記号又はこれらと色彩の結合が形成されている耐熱性被膜が現れることにより、故人の遺族にインパクトのある印象を形成することができる。
【００１２】
（３）　前記耐熱性被膜では、模様、文字、記号又はこれらと色彩の結合が凸状又は凹状となっているものである前記に記載の葬儀用象徴物。
【００１３】
火葬後に、火葬前とは異なる模様、文字、記号又はこれらと色彩の結合が現れるので、故人の魂が宿って成仏したと印象づけることが可能になる。
【００１４】
（４）　前記耐熱性被膜は、金色の被膜が前記本体の少なくとも一部を被覆したものである前記記載の葬儀用象徴物。
【００１５】
火葬後に、金色に変化した葬儀用象徴物が現れることになり、故人の魂が宿って成仏したと印象づけることが可能になる。例えば、火葬前には無地の葬儀用象徴物から、火葬後に、南無阿弥陀仏、南無妙法蓮華経等の金色の文字が現れるようにすることができる。あるいは、火葬前には、熱剥離部により黒色であった文字が、火葬後には、耐熱性被膜により他の色、例えば、金色の文字に変化するようにしてもよい。あるいは、火葬後には、仏像が現れるときなどは、仏像全体を金色にすることもできる。
【００１６】
（５）　前記熱剥離部で形成される形状と、前記熱剥離部が除去された後に形成される形状とが異なるものである前記に記載の葬儀用象徴物。
【００１７】
熱剥離部の厚さは、一定である必要はなく、所望の形状を形成することができる。例えば、仏像の形状をしている本体を被覆し、板状又は直方体の形状の葬儀用象徴物を形成してもよい。
【００１８】
（６）　前記熱剥離部の表面に、模様、文字、記号又はこれらと色彩の結合が形成されている前記に記載の葬儀用象徴物。
【００１９】
例えば、火葬前には、経典等の文字、紋様等が記載されていてもよい。
【００２０】
（７）　前記熱剥離部の表面に、模様、文字、記号又はこれらと色彩の結合が凸状又は凹状に形成されている前記に記載の葬儀用象徴物。
【００２１】
火葬前の葬儀用象徴物に模様、文字、記号等が彫り込まれていてもよいし、あるいは、隆起していてもよい。
【００２２】
（８）　内側に断熱材を入れた耐熱性容器に収納された上記に記載の葬儀用象徴物。
【００２３】
この収納容器は７００℃から１２００℃の熱にも変形することなく剛性を保持するものであることが好ましく、外部からの衝撃等に対し収納されている象徴物を保護することができる。
【００２４】
（９）　前記本体の少なくとも一部が仏像又は十字架の形状をしている上記に記載の葬儀用象徴物。
【００２５】
本発明の葬儀用象徴物は、宗派を超えて、様々な象徴物の形状として用いることができる。
【００２６】
（１０）　前記本体が、仏像と、仏像の背面に固定された板部とを含む上記に記載の葬儀用象徴物。
【００２７】
【発明の実施の形態】
本発明の一実施態様では、葬儀にて火葬に供される葬儀用象徴物であって、火葬の前後で形状を保持することができる程度の耐熱性の本体と、この本体を覆い、かつ、火葬により除去される熱剥離部と、前記本体の表面と前記熱剥離部との間に形成され、かつ、前記本体の表面の少なくとも一部を被覆する耐熱性被膜とを含む、ことを特徴とする葬儀用象徴物が提供される。
【００２８】
本体は、火葬の前後で形状を保持することができる程度の耐熱性を有するものであればよい。本体は、１２００℃の高温においても、変形しないことが好ましい。具体的には、本体はセラミックス製であることが好ましく、耐熱性セラミックスを好ましく用いることができる。例えば、ムライト磁器、シリマナイト磁器、ジルコニア、窒化珪素等を用いることができる。本体がセラミックス製の場合には、成形加工が容易であるので、好ましい。本体の表面には、模様、色彩又はこれらの結合が凹部若しくは凸部を形成していてもよい。なお、模様には、文字、図形、記号が含まれる。
【００２９】
本体の形状は、制限がない。故人又はその親族にとって、象徴的な意味がある物の形状であってもよい。例えば、宗教的な象徴物として、仏像、十字架であってもよい。また、仏像がその背中を介して板に固定されていてもよい。あるいは、故人がネコ好きの場合には、ネコ、故人がイヌ好きの場合には、イヌの形状であってもよい。
【００３０】
本体の寸法には制限がない。もっとも、象徴物は耐熱性容器及び断熱材から取り出された後、故人を偲ぶために仏壇等に安置されてもよいし、あるいはハンドバッグなどに入れて携帯してもよい。携帯のためには象徴物の長軸方向の寸法は５ｃｍから１５ｃｍ程度が望ましい。
【００３１】
本体表面には、耐熱性被膜として、純金焼付塗装を施してもよいし、銀、パラジウム、チッ化チタンなどを焼付塗装や蒸着したりしてもよい。あるいは通称ベンガラと呼ばれる赤色の酸化第二鉄などの無機系塗料で着色したりしてもよいし、あるいは火葬終了後に特定の色、例えば、銀、黄、赤に変化するよう調製したセラミックス材料を予め本体表面に被覆してもよい。
【００３２】
耐熱性被膜は、模様、文字、記号又はこれらと色彩の結合を形成していてもよい。そして、模様又は記号には、紋様が含まれる。耐熱性被膜として、本体表面に特定の宗教の経典、例えば、南無阿弥陀仏、南無妙法蓮華経等や故人が好きだった言葉等を描くことができる。これらの文字は、任意の色彩で描くことができる。耐熱性被膜の表面には、凹凸が形成され、この凹凸の形状により、模様、文字、記号又はこれらと色彩の結合が形成されていてもよい。
【００３３】
また、耐熱性被膜として、本体の全体を一色、例えば、金色で被覆していてもよい。例えば、上述した純金焼付塗装を施してもよい。火葬後に金色で被覆された象徴物が現れることになる。これにより、火葬後に、金色に変化した葬儀用象徴物が現れることになり、故人の魂が宿って成仏したと印象づけることが可能になる。
【００３４】
更に耐熱性被膜の表面に火葬により除去される熱剥離部が形成されている。熱剥離部は、本体の少なくとも一部を覆い、本体の全面に渡って覆っていてもよい。例えば、アクリル樹脂やウレタン樹脂等の樹脂系塗料を耐熱性被膜が形成されたセラミックス体の表面に塗布することにより、熱剥離部を形成することができる。あるいは、黄鉛、銀朱などの無機顔料を用いて耐熱性被膜と異なった色に着色することができる。着色に際しては釉薬を用いてもよい。また、熱剥離性塗膜は、７００℃以下の熱で燃焼、融解等により、剥離、除去されることが好ましい。
【００３５】
熱剥離部は、一定の厚さで被覆される必要はなく、葬儀用象徴物のある部分では厚くし、他の部分では薄くしてもよい。即ち、熱剥離部で形成される形状と、熱剥離部が除去された後に形成される形状とが異なるものであってもよい。これにより、火葬の前後で、葬儀用象徴物の形状を変化させることができる。例えば、本体が仏像の形状をしていて、前記熱剥離部で形成されている仏像の表情と、前記熱剥離部が除去された後に形成される仏像の表情が異なるものであってもよい。例えば、火葬により、般若の表情が菩薩の表情に変化するように熱剥離部及び耐熱性被膜が被覆していてもよい。
【００３６】
あるいは、板状又は直方体の形状の葬儀用象徴物から、仏像又は仏像の背中に板が固定した形状が発現するようになっていてもよい。あるいは、焼成後に紋様、文字等が出現していてもよく、この紋様、文字等は立体感がでるように、凸面状に形成してもよい。
【００３７】
更にまた、本発明の一実施態様では、内側に断熱材を入れた耐熱性容器に収納された葬儀用象徴物が提供される。耐熱性容器は、例えば、耐熱性のガラス、セラミックス製収納容器、耐熱ガラス繊維の袋などで作成される。耐熱性容器は、火葬の間に与えられる外部からの衝撃から象徴物を保護するとともに、遺体が焼かれる時発生する油成分やカルシウムが葬儀用象徴物に付着することを防止する。また、耐熱性容器は、外部からの衝撃などから葬儀用象徴物を保護すると同時に葬儀用象徴物がお骨などを取り出す際中でおどりだし、破損するのを防ぐことができる。
【００３８】
図３に示すように、耐熱性容器２ａは円筒形であり、上部に設けられた蓋を本体に着脱可能に固定したものであってもよい。この容器２ａの上部には、径方向にねじって閉まる蓋が付いていてもよい。あるいは、図４に示すように、耐熱性容器２ｂは六角堂をかたどっていてもよい。容器２ｂの上部には、上部に向かって取り外し可能な、六角錐形状の蓋が設けられていてもよい。これらの容器２ａ、２ｂでは、容器内部の空気が温度上昇により膨張し、この圧力で容器が破壊され兼ねない。そこで、前記蓋に多少の余裕を持たせて作ったり、耐熱性容器２ａ、２ｂの底に予め穴をあけておくことが好ましい。
【００３９】
断熱材としては、例えば、１２００℃の高熱においても変質することのない、ガラス繊維などが用いられる。断熱材は、耐熱性容器内で象徴物が動いて破損などしないよう耐熱性容器と象徴物との緩衝材の役割も果たすことができる。耐熱性容器内に入れる断熱材の量を調整することによって、熱剥離部として作用する樹脂系塗料の色を消失させ、耐熱性被膜又は本体が有する元来の色や文字等が焼かれた後に表面に出るように温度調節の役割も果たす。
【００４０】
【実施例】
以下、本発明の実施例について説明する。もっとも、本発明は、これらの実施例に制限されるものではない。
【００４１】
［実施例１］
図１は、本発明に係る一実施態様の葬儀用象徴物を示すものである。仏像形状の葬儀用象徴物１ａは、火葬される前の状態であり、熱剥離部で全体的に覆われており、葬儀用象徴物１ａの表面色は、黒色である。
【００４２】
そして、象徴物１ａは、ガラス繊維製の断熱材で包まれ、図３に示される耐熱性容器２ａに収納される。耐熱性容器２ａ又は耐熱性容器２ｂ内は１２００℃以上の温度にも剛性を維持することができるセラミックス製、あるいは耐熱性のガラス製である。
【００４３】
図２の断面図で示されている本実施例も示されるように、葬儀用象徴物の本体はセラミックス製５であり、本体５の表面には（５μｍ〜２００μｍ）の厚さの純金焼付塗装４が施してあり、更にその上から樹脂系黒色塗料で、０．１μｍから５μｍの厚さで焼きつけ塗装をしたものである。象徴物１ａの本体を構成するセラミックス５は１２００℃の高熱に対しても変形、変質せずさらに成形加工が容易であるという特質がある。純金焼付塗装４は、１２００℃の高熱に対しても融解、剥離することなくまた、高温の空気雰囲気下でも酸化することはない。
【００４４】
葬儀用象徴物１ａの耐熱性皮膜は、火葬後に故人の魂入れが行われたと印象づけるためのである。このため、色が変化する以外に故人が好きだった言葉、絵柄などを記してもよい。また、火葬前と火葬後で仏像の表情が変化するなどの加工を施しても良い。
【００４５】
本実施例に係る葬儀用象徴物１ａは、断熱材と共に耐熱性容器２ａに収納されたまま葬儀において遺体と共に火葬される。
【００４６】
火葬を経た葬儀用象徴物１ｂは、火葬前の黒色から黄金色に変化していることによって、故人の霊を供養し遺体の魂が葬儀用象徴物１ｂに宿ったとみなすことができる。また、故人と共に浄火の中から出たという遺品としての価値が大きく、これを祭り、故人を永く偲ぶのに最適なものとすることができる。
【００４７】
［実施例２］
図５は、本発明に係る他の実施態様の葬儀用象徴物を示すものである。葬儀用象徴物１０ａは、火葬、即ち、焼成される前の状態であり、例えば、幅３０ｍｍ、高さ９０ｍｍ、厚さ１０ｍｍ程度の板状又は掛け軸状に形成されている。そして、正面の平面には、好ましくは、白色地に黒で紋様又は文字が記載又は彫刻されている。例えば、蓮の紋様の下に、供般若心経という文字が記載されている。
【００４８】
そして、葬儀用象徴物１０ａは、好ましくは、ガラス繊維製の断熱材で包まれ、図３に示される耐熱性容器２ａに収納されてもよい。耐熱性容器２ａ又は耐熱性容器２ｂ内は１２００℃以上の温度にも剛性を維持することができるセラミックス製、あるいは耐熱性のガラス製である。
【００４９】
あるいは、耐熱繊維製のきんちゃく様袋（守り刀の袋）の上に錦織り袋を更にかぶせ、外観を整えることもある。
【００５０】
図６に示すように、焼成後には、板状又は掛け軸状の葬儀用象徴物１０ａの正面部分が焼失して、黒色地の本体１６の表面に立体的に形成された金色の仏像１４が発現する。この構成により、焼成後のインパクトが強いものになる。
【００５１】
図７の断面図で示されているように、葬儀用象徴物１０ａの本体は表面に仏像の形状に従った凹凸があるセラミックス製１６であり、本体１６の表面には５μｍ〜２００μｍの厚さの純金焼付塗装１４が施してある。純金焼付塗装は好ましくは、ほぼ均一の厚さである。更に純金焼付塗装１４の上には、黒色樹脂で熱剥離部を形成したものである。象徴物１０ａの本体を構成するセラミックス１６は１２００℃の高熱に対しても変形、変質せずさらに成形加工が容易であるという特質がある。純金焼付塗装１４は、１２００℃の高熱に対しても融解、剥離することなくまた、高温の空気雰囲気下でも酸化することはない。
【００５２】
【発明の効果】
本発明では、葬儀にて火葬に供される葬儀用象徴物であって、火葬の前後で形状を保持することができる程度の耐熱性の本体と、この本体の少なくとも一部を覆い、かつ、火葬により除去される熱剥離部と、前記本体の表面と前記熱剥離部との間に形成され、かつ、前記本体の表面の少なくとも一部を被覆する耐熱性被膜とを含む、ことを特徴とする葬儀用象徴物が提供される。これにより、遺体と共にこの葬儀用象徴物を火葬することにより、火葬を経て、見た目が変化することにより、故人の魂が成仏し象徴物に宿ったと遺族に印象づける効果を発揮する。
【００５３】
また、耐熱容器に収納されている葬儀用象徴物では、火葬中に外部から与えられる衝撃や汚れの付着から象徴物を保護すると同時に、象徴物が中で踊り出すことによって、お骨に傷をつけることを防止することが出来る。
【図面の簡単な説明】
【図１】本発明に係る一実施態様の葬儀用象徴物の正面図である。
【図２】本発明に係る一実施態様の葬儀用象徴物の部分断面図である。
【図３】耐熱性容器の斜視図である。
【図４】耐熱性容器の斜視図である。
【図５】本発明に係る他の実施態様の焼成前の葬儀用象徴物の斜視図である。
【図６】本発明に係る他の実施態様の焼成後の葬儀用象徴物の斜視図である。
【図７】本発明に係る他の実施態様の焼成前の葬儀用象徴物の断面図である。
【符号の説明】
１ａ、１ｂ　葬儀用象徴物
２ａ、２ｂ　耐熱性容器
３　熱剥離部
４　耐熱性被膜
５　本体
１０ａ、１０ｂ　葬儀用象徴物
１２　熱剥離部
１４　耐熱性被膜
１６　本体
【図１】
2004135850.tif 000003
【図２】
2004135850.tif 000004
【図３】
2004135850.tif 000005
【図４】
2004135850.tif 000006
【図５】
2004135850.tif 000007
【図６】
2004135850.tif 000008
【図７】
2004135850.tif 000009